【事件の表示】
　特願２００３−３２４９２０「情報処理装置および情報処理方法、プログラム、並びに記録媒体」拒絶査定不服審判事件〔平成１７年　４月　７日出願公開、特開２００５−　９４３４９〕について、次のとおり審決する。
【結　論】
　本件審判の請求は、成り立たない。
【理　由】
第１．手続の経緯
　
　本願は、
平成１５年９月１７日付けの出願であって、
平成１８年８月１６日付けで審査請求がなされ、
平成２２年１月２７日付けで拒絶理由通知（同年２月２日発送）がなされ、
同年４月５日付けで意見書が提出されると共に、同日付けで手続補正書が提出され、
同年４月２２日付けで拒絶査定（同年同月２７日発送）がなされ、
そして、該拒絶査定を不服として、
同年７月２７日付けで審判請求がされると共に、同日付けで手続補正書が提出されたものである。
　
　なお、同年８月２７日付けで特許法第１６４条第３項に定める報告（前置報告）がなされ、
平成２３年３月２５日付けで当該報告に対する意見を求める旨の審尋（同年同月２９日発送)がなされ、これに対して
同年５月３０日付けで回答書が提出されている。
　
　
　
第２．平成２２年７月２７日付けの手続補正についての補正却下の決定
　
［補正却下の決定の結論］
　平成２２年７月２７日付けの手続補正を却下する。
　
　
［理由］
１．本件補正の内容
　平成２２年７月２７日付けの手続補正（以下「本件補正」と記す。）は、特許請求の範囲について、下記の＜本件補正前の特許請求の範囲＞から、下記＜本件補正後の特許請求の範囲＞に補正しようとするものである。
　
＜本件補正前の特許請求の範囲＞
「【請求項１】
　データを無線で送信または受信する情報処理装置において、
　動作モードを、前記データの暗号化または復号に用いる第１の暗号鍵の伝達を行う伝達モードに設定する設定手段と、
　前記設定手段により前記伝達モードが設定された場合に、前記第１の暗号鍵に関する暗号鍵情報を無線で送信する送信手段と、
　前記情報処理装置と、前記送信手段が送信した前記暗号鍵情報を受信する他の情報処理装置とが共通して記憶している値に基づいて、前記暗号鍵情報を生成する暗号鍵情報生成手段と
　を備えることを特徴とする情報処理装置。
　　【請求項２】
　前記暗号鍵情報生成手段は、前記共通して記憶している値と、前記第１の暗号鍵の元となる暗号鍵生成情報とを乗算する
　ことを特徴とする請求項１に記載の情報処理装置。
　　【請求項３】
　前記暗号鍵情報は、前記共通して記憶している値と、前記暗号鍵生成情報とを乗算して得られた値である
　ことを特徴とする請求項２に記載の情報処理装置。
　　【請求項４】
　前記第１の暗号鍵は、前記暗号鍵生成情報の一部により構成される
　ことを特徴とする請求項２に記載の情報処理装置。
　　【請求項５】
　前記共通して記憶している値は、第１の素数であり、
　前記暗号鍵情報は、前記第１の素数と、前記第１の暗号鍵を含む第２の素数とを乗算した値である
　ことを特徴とする請求項４に記載の情報処理装置。
　　【請求項６】
　前記第１の暗号鍵は、前記暗号鍵生成情報の上位ビットである
　ことを特徴とする請求項４に記載の情報処理装置。
　　【請求項７】
　前記共通して記憶している値は、素数である
　ことを特徴とする請求項１に記載の情報処理装置。
　　【請求項８】
　前記暗号鍵情報は、前記情報処理装置と前記他の情報処理装置とが共通して記憶している第２の暗号鍵を用いて暗号化されて送信される
　ことを特徴とする請求項１に記載の情報処理装置。
　　【請求項９】
　前記設定手段は、メカニカルスイッチの操作に応じて、前記動作モードを前記伝達モードに設定する
　ことを特徴とする請求項１に記載の情報処理装置。
　　【請求項１０】
　前記設定手段は、電源がオンされた場合、前記動作モードを前記伝達モードに設定し、前記送信手段により前記暗号鍵情報が送信された後、前記動作モードを、前記データを前記第１の暗号鍵を用いて暗号化または復号する通常モードに設定する
　ことを特徴とする請求項１に記載の情報処理装置。
　　【請求項１１】
　データを無線で送信または受信する情報処理装置の情報処理方法において、
　動作モードを、前記データの暗号化または復号に用いる暗号鍵の伝達を行う伝達モードに設定する設定ステップと、
　前記設定ステップの処理により前記伝達モードが設定された場合に、前記暗号鍵に関する暗号鍵情報を無線で送信する送信ステップと、
　前記情報処理装置と、前記送信ステップの処理により送信された前記暗号鍵情報を受信する他の情報処理装置とが共通して記憶している値に基づいて、前記暗号鍵情報を生成する暗号鍵情報生成ステップと
　を含むことを特徴とする情報処理方法。
　　【請求項１２】
　情報処理装置を制御するコンピュータにデータを無線で送信または受信する処理を行なわせるプログラムにおいて、
　動作モードを、前記データの暗号化または復号に用いる暗号鍵の伝達を行う伝達モードに設定する設定ステップと、
　前記設定ステップの処理により前記伝達モードが設定された場合に、前記暗号鍵に関する暗号鍵情報の無線による送信を制御する送信制御ステップと、
　前記情報処理装置と、前記送信制御ステップの処理により送信された前記暗号鍵情報を受信する他の情報処理装置とが共通して記憶している値に基づいて、前記暗号鍵情報を生成する暗号鍵情報生成ステップと
　を備えることを特徴とするプログラム。
　　【請求項１３】
　情報処理装置を制御するコンピュータにデータを無線で送信または受信する処理を行なわせるプログラムが記録されている記録媒体において、
　動作モードを、前記データの暗号化または復号に用いる暗号鍵の伝達を行う伝達モードに設定する設定ステップと、
　前記設定ステップの処理により前記伝達モードが設定された場合に、前記暗号鍵に関する暗号鍵情報の無線による送信を制御する送信制御ステップと、
　前記情報処理装置と、前記送信制御ステップの処理により送信された前記暗号鍵情報を受信する他の情報処理装置とが共通して記憶している値に基づいて、前記暗号鍵情報を生成する暗号鍵情報生成ステップと
　を備えることを特徴とするプログラムが記録されている記録媒体。
　　【請求項１４】
　データを無線で送信または受信する情報処理装置において、
　動作モードを、前記データの暗号化または復号に用いる第１の暗号鍵の伝達を行う伝達モードに設定する設定手段と、
　前記設定手段により前記伝達モードが設定された場合に、前記第１の暗号鍵に関する暗号鍵情報を無線で受信する受信手段と、
　前記情報処理装置と前記受信手段が受信した前記暗号鍵情報を送信した他の情報処理装置とが共通して記憶している値、および、前記暗号鍵情報に基づいて、前記第１の暗号鍵を生成する暗号鍵生成手段と
　を備えることを特徴とする情報処理装置。
　　【請求項１５】
　前記暗号鍵生成手段は、前記共通して記憶している値と、前記暗号鍵情報とを除算する
　ことを特徴とする請求項１４に記載の情報処理装置。
　　【請求項１６】
　前記第１の暗号鍵は、前記暗号鍵情報を前記共通して記憶している値で除算して得られた値に含まれている
　ことを特徴とする請求項１５に記載の情報処理装置。
　　【請求項１７】
　前記第１の暗号鍵は、前記除算して得られた値の一部により構成される
　ことを特徴とする請求項１６に記載の情報処理装置。
　　【請求項１８】
　前記共通して記憶している値は、第１の素数であり、
　前記暗号鍵情報は、前記第１の素数と、前記第１の暗号鍵を含む第２の素数とを乗算した値である
　ことを特徴とする請求項１７に記載の情報処理装置。
　　【請求項１９】
　前記第１の暗号鍵は、前記除算して得られた値の上位ビットである
　ことを特徴とする請求項１７に記載の情報処理装置。
　　【請求項２０】
　前記共通して記憶している値は、素数である
　ことを特徴とする請求項１４に記載の情報処理装置。
　　【請求項２１】
　前記暗号鍵情報は、前記情報処理装置と、前記受信手段が受信した前記暗号鍵情報を送信した前記他の情報処理装置とが共通して記憶している第２の暗号鍵を用いて暗号化されて送信される
　ことを特徴とする請求項１４に記載の情報処理装置。
　　【請求項２２】
　前記設定手段は、メカニカルスイッチの操作に応じて、前記動作モードを前記伝達モードに設定する
　ことを特徴とする請求項１４に記載の情報処理装置。
　　【請求項２３】
　前記設定手段は、電源がオンされた場合、前記動作モードを前記伝達モードに設定し、前記受信手段により前記暗号鍵情報が受信された後、前記動作モードを、前記データを前記第１の暗号鍵を用いて暗号化または復号する通常モードに設定する
　ことを特徴とする請求項１４に記載の情報処理装置。
　　【請求項２４】
　データを無線で送信または受信する情報処理装置の情報処理方法において、
　動作モードを、前記データの暗号化または復号に用いる暗号鍵の伝達を行う伝達モードに設定する設定ステップと、
　前記設定ステップの処理により前記伝達モードが設定された場合に、前記暗号鍵に関する暗号鍵情報を無線で受信する受信ステップと、
　前記情報処理装置と前記受信ステップの処理により受信された前記暗号鍵情報を送信した他の情報処理装置とが共通して記憶している値、および、前記暗号鍵情報に基づいて、前記暗号鍵を生成する暗号鍵生成ステップと
　を含むことを特徴とする情報処理方法。
　　【請求項２５】
　情報処理装置を制御するコンピュータにデータを無線で送信または受信する処理を行なわせるプログラムにおいて、
　動作モードを、前記データの暗号化または復号に用いる暗号鍵の伝達を行う伝達モードに設定する設定ステップと、
　前記設定ステップの処理により前記伝達モードが設定された場合に、前記暗号鍵に関する暗号鍵情報の無線による受信を制御する受信制御ステップと、
　前記情報処理装置と前記受信制御ステップの処理により受信された前記暗号鍵情報を送信した他の情報処理装置とが共通して記憶している値、および、前記暗号鍵情報に基づいて、前記暗号鍵を生成する暗号鍵生成ステップと
　を備えることを特徴とするプログラム。
　　【請求項２６】
　情報処理装置を制御するコンピュータにデータを無線で送信または受信する処理を行なわせるプログラムが記録されている記録媒体において、
　動作モードを、前記データの暗号化または復号に用いる暗号鍵の伝達を行う伝達モードに設定する設定ステップと、
　前記設定ステップの処理により前記伝達モードが設定された場合に、前記暗号鍵に関する暗号鍵情報の無線による受信を制御する受信制御ステップと、
　前記情報処理装置と前記受信制御ステップの処理により受信された前記暗号鍵情報を送信した他の情報処理装置とが共通して記憶している値、および、前記暗号鍵情報に基づいて、前記暗号鍵を生成する暗号鍵生成ステップと
　を備えることを特徴とするプログラムが記録されている記録媒体。」
　
＜本件補正後の特許請求の範囲＞
「【請求項１】
　データを無線で送信または受信する情報処理装置において、
　動作モードを、前記データの暗号化または復号に用いる第１の暗号鍵の伝達を行う伝達モードに設定する設定手段と、
　前記設定手段により前記伝達モードが設定された場合に、前記第１の暗号鍵に関する暗号鍵情報を無線で送信する送信手段と、
　前記情報処理装置と、前記送信手段が送信した前記暗号鍵情報を受信する他の情報処理装置とが
出荷時から
　を備えることを特徴とする情報処理装置。
　　【請求項２】
　前記暗号鍵情報生成手段は、前記共通して記憶している値と、前記第１の暗号鍵の元となる暗号鍵生成情報とを乗算する
　ことを特徴とする請求項１に記載の情報処理装置。
　　【請求項３】
　前記暗号鍵情報は、前記共通して記憶している値と、前記暗号鍵生成情報とを乗算して得られた値である
　ことを特徴とする請求項２に記載の情報処理装置。
　　【請求項４】
　前記第１の暗号鍵は、前記暗号鍵生成情報の一部により構成される
　ことを特徴とする請求項２に記載の情報処理装置。
　　【請求項５】
　前記共通して記憶している値は、第１の素数であり、
　前記暗号鍵情報は、前記第１の素数と、前記第１の暗号鍵を含む第２の素数とを乗算した値である
　ことを特徴とする請求項４に記載の情報処理装置。
　　【請求項６】
　前記第１の暗号鍵は、前記暗号鍵生成情報の上位ビットである
　ことを特徴とする請求項４に記載の情報処理装置。
　　【請求項７】
　前記共通して記憶している値は、素数である
　ことを特徴とする請求項１に記載の情報処理装置。
　　【請求項８】
　前記暗号鍵情報は、前記情報処理装置と前記他の情報処理装置とが共通して記憶している第２の暗号鍵を用いて暗号化されて送信される
　ことを特徴とする請求項１に記載の情報処理装置。
　　【請求項９】
　前記設定手段は、メカニカルスイッチの操作に応じて、前記動作モードを前記伝達モードに設定する
　ことを特徴とする請求項１に記載の情報処理装置。
　　【請求項１０】
　前記設定手段は、電源がオンされた場合、前記動作モードを前記伝達モードに設定し、前記送信手段により前記暗号鍵情報が送信された後、前記動作モードを、前記データを前記第１の暗号鍵を用いて暗号化または復号する通常モードに設定する
　ことを特徴とする請求項１に記載の情報処理装置。
　　【請求項１１】
　データを無線で送信または受信する情報処理装置の情報処理方法において、
　動作モードを、前記データの暗号化または復号に用いる暗号鍵の伝達を行う伝達モードに設定する設定ステップと、
　前記設定ステップの処理により前記伝達モードが設定された場合に、前記暗号鍵に関する暗号鍵情報を無線で送信する送信ステップと、
　前記情報処理装置と、前記送信ステップの処理により送信された前記暗号鍵情報を受信する他の情報処理装置とが
出荷時から
　を含むことを特徴とする情報処理方法。
　　【請求項１２】
　情報処理装置を制御するコンピュータにデータを無線で送信または受信する処理を行なわせるプログラムにおいて、
　動作モードを、前記データの暗号化または復号に用いる暗号鍵の伝達を行う伝達モードに設定する設定ステップと、
　前記設定ステップの処理により前記伝達モードが設定された場合に、前記暗号鍵に関する暗号鍵情報の無線による送信を制御する送信制御ステップと、
　前記情報処理装置と、前記送信制御ステップの処理により送信された前記暗号鍵情報を受信する他の情報処理装置とが
出荷時から
　を備えることを特徴とするプログラム。
　　【請求項１３】
　情報処理装置を制御するコンピュータにデータを無線で送信または受信する処理を行なわせるプログラムが記録されている記録媒体において、
　動作モードを、前記データの暗号化または復号に用いる暗号鍵の伝達を行う伝達モードに設定する設定ステップと、
　前記設定ステップの処理により前記伝達モードが設定された場合に、前記暗号鍵に関する暗号鍵情報の無線による送信を制御する送信制御ステップと、
　前記情報処理装置と、前記送信制御ステップの処理により送信された前記暗号鍵情報を受信する他の情報処理装置とが
出荷時から
　を備えることを特徴とするプログラムが記録されている記録媒体。
　　【請求項１４】
　データを無線で送信または受信する情報処理装置において、
　動作モードを、前記データの暗号化または復号に用いる第１の暗号鍵の伝達を行う伝達モードに設定する設定手段と、
　前記設定手段により前記伝達モードが設定された場合に、前記第１の暗号鍵に関する暗号鍵情報を無線で受信する受信手段と、
　前記情報処理装置と前記受信手段が受信した前記暗号鍵情報を送信した他の情報処理装置とが
出荷時から
　を備えることを特徴とする情報処理装置。
　　【請求項１５】
　前記暗号鍵生成手段は、前記共通して記憶している値と、前記暗号鍵情報とを除算する
　ことを特徴とする請求項１４に記載の情報処理装置。
　　【請求項１６】
　前記第１の暗号鍵は、前記暗号鍵情報を前記共通して記憶している値で除算して得られた値に含まれている
　ことを特徴とする請求項１５に記載の情報処理装置。
　　【請求項１７】
　前記第１の暗号鍵は、前記除算して得られた値の一部により構成される
　ことを特徴とする請求項１６に記載の情報処理装置。
　　【請求項１８】
　前記共通して記憶している値は、第１の素数であり、
　前記暗号鍵情報は、前記第１の素数と、前記第１の暗号鍵を含む第２の素数とを乗算した値である
　ことを特徴とする請求項１７に記載の情報処理装置。
　　【請求項１９】
　前記第１の暗号鍵は、前記除算して得られた値の上位ビットである
　ことを特徴とする請求項１７に記載の情報処理装置。
　　【請求項２０】
　前記共通して記憶している値は、素数である
　ことを特徴とする請求項１４に記載の情報処理装置。
　　【請求項２１】
　前記暗号鍵情報は、前記情報処理装置と、前記受信手段が受信した前記暗号鍵情報を送信した前記他の情報処理装置とが共通して記憶している第２の暗号鍵を用いて暗号化されて送信される
　ことを特徴とする請求項１４に記載の情報処理装置。
　　【請求項２２】
　前記設定手段は、メカニカルスイッチの操作に応じて、前記動作モードを前記伝達モードに設定する
　ことを特徴とする請求項１４に記載の情報処理装置。
　　【請求項２３】
　前記設定手段は、電源がオンされた場合、前記動作モードを前記伝達モードに設定し、前記受信手段により前記暗号鍵情報が受信された後、前記動作モードを、前記データを前記第１の暗号鍵を用いて暗号化または復号する通常モードに設定する
　ことを特徴とする請求項１４に記載の情報処理装置。
　　【請求項２４】
　データを無線で送信または受信する情報処理装置の情報処理方法において、
　動作モードを、前記データの暗号化または復号に用いる暗号鍵の伝達を行う伝達モードに設定する設定ステップと、
　前記設定ステップの処理により前記伝達モードが設定された場合に、前記暗号鍵に関する暗号鍵情報を無線で受信する受信ステップと、
　前記情報処理装置と前記受信ステップの処理により受信された前記暗号鍵情報を送信した他の情報処理装置とが
出荷時から
　を含むことを特徴とする情報処理方法。
　　【請求項２５】
　情報処理装置を制御するコンピュータにデータを無線で送信または受信する処理を行なわせるプログラムにおいて、
　動作モードを、前記データの暗号化または復号に用いる暗号鍵の伝達を行う伝達モードに設定する設定ステップと、
　前記設定ステップの処理により前記伝達モードが設定された場合に、前記暗号鍵に関する暗号鍵情報の無線による受信を制御する受信制御ステップと、
　前記情報処理装置と前記受信制御ステップの処理により受信された前記暗号鍵情報を送信した他の情報処理装置とが
出荷時から
　を備えることを特徴とするプログラム。
　　【請求項２６】
　情報処理装置を制御するコンピュータにデータを無線で送信または受信する処理を行なわせるプログラムが記録されている記録媒体において、
　動作モードを、前記データの暗号化または復号に用いる暗号鍵の伝達を行う伝達モードに設定する設定ステップと、
　前記設定ステップの処理により前記伝達モードが設定された場合に、前記暗号鍵に関する暗号鍵情報の無線による受信を制御する受信制御ステップと、
　前記情報処理装置と前記受信制御ステップの処理により受信された前記暗号鍵情報を送信した他の情報処理装置とが
出荷時から
　を備えることを特徴とするプログラムが記録されている記録媒体。」
　
　
２．本件補正の目的・独立特許要件について
　本件補正は、審判の請求と同時にする補正、上記１．のとおり特許請求の範囲についてする補正を含むものであるところ、該補正は本件補正前の特許請求の範囲の請求項１、１１、１２、１３、１４、２４、２５、２６に記載された発明を特定するために必要な事項（以下「発明特定事項」と言う。）であるところの「共通して記憶している値」に「出荷時から」なる限定を付して下位概念化する補正である。そして、これによって当該発明の産業上の利用分野及び解決しようとする課題が格別変更されるものではない。
　したがって、本件補正の目的は、特許法第１７条の２第４項第２号の特許請求の範囲の減縮（第３６条第５項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）（以下、単に「限定的減縮」と記す。）に該当する。
　そこで、本件補正後の請求項１に記載されている事項により特定される発明（以下、「本件補正発明」という。）が特許出願の際独立して特許を受けることができるものであるか否かについて、以下に検討する。
　
　
２−１．本件補正発明
　本件補正発明は、上記１．の＜本件補正後の特許請求の範囲＞に【請求項１】として記載した通りのものである。
　
　
２−２．先行技術文献の記載内容
　
（１）引用文献
本願の出願前に頒布され、原審の拒絶の査定の理由である上記平成２２年１月２７日付けの拒絶理由通知において引用された、下記引用文献には下記引用文献記載事項が記載されている。（下線は当審付与。）
　
　
＜引用文献＞
　特開２０００−３４１２６２号公報（平成１２年１２月８日出願公開）
　
　＜引用文献記載事項１＞
「【特許請求の範囲】
【請求項１】無線データ送受信手段と、鍵を不揮発性の記憶手段に格納する鍵記憶手段と、鍵を使用してデータの暗号化復号化を行う暗号化手段とを具備する無線伝送装置において、
鍵生成手段と、
鍵設定モード起動手段と、
親／子指定手段と、
有線データ送受信手段と、
前記有線データ送受信手段を使用して鍵を他の無線伝送装置に転送する鍵転送手段と、
前記有線データ送受信手段を使用して鍵を受信する鍵受信手段と、
前記鍵設定モード起動手段によって鍵設定モードが起動された場合に、前記親／子指定手段により親局に指定されている場合には、前記鍵生成手段によって鍵を生成し、前記鍵記憶手段によって鍵を不揮発性の記憶手段に格納すると共に、前記鍵転送手段によって鍵を他の無線伝送装置に転送し、前記親／子指定手段により子局に指定されている場合には、前記鍵受信手段によって鍵を受信し、前記鍵記憶手段によって鍵を不揮発性の記憶手段に格納する鍵設定制御手段とを備えたことを特徴とする無線伝送装置。」
　
　＜引用文献記載事項＞
「【０００６】
【発明の実施の形態】以下、本発明の実施の形態を詳細に説明する。図１は、本発明を適用した無線伝送装置を含む通信システムの構成を示すブロック図である。図１の例においては３つの無線伝送装置２０〜２２が無線伝送路によって接続されている。各無線伝送装置２０〜２２はそれぞれＬＡＮに接続されており、各ＬＡＮには図示しない複数の端末やサーバが接続されている。各無線伝送装置２０〜２２には暗号化を行うために、例えば６４ビットのランダムなデータである共通鍵情報２３が格納されており、
各無線伝送装置２０〜２２はこの鍵情報を使用して伝送情報を暗号化し、また受信した暗号化データを復号化する。
　
　＜引用文献記載事項２＞
「【００１１】パネル回路３６は例えばＤＩＰスイッチおよび発光ダイオードからなる簡単な入出力用のパネル回路であり、ＤＩＰスイッチの状態はＣＰＵ３３によって例えば周期的に読み取られ、また装置の状態が発光ダイオードに表示される。ＤＩＰスイッチの内の１つは、無線伝送装置の共通鍵設定モードを起動するために使用され、他の１つは無線伝送装置を親局として動作させるかあるいは子局として動作させるかを指定するために使用される。
【００１２】図４は、本発明の無線伝送装置の共通鍵設定処理の内容を示すフローチャートである。この処理は例えばタイマによって周期的に起動される。Ｓ１０においては、前記した
共通鍵設定モードを起動するためのＤＩＰスイッチ
　
　＜引用文献記載事項３＞
「【００１８】以上、本発明の実施例を開示したが、本発明には下記のような変形例も考えられる。実施例においては、通信に使用するＬＡＮポートを利用して共通鍵の設定を行う例を開示したが、共通鍵の設定処理用に専用の例えばRS-232Cなどの有線接続ポートを設けてもよい。この場合、無線伝送装置が端末機能を有していれば、ＬＡＮポートは不要の場合もある。
また、無線伝送装置は無線リンクを具備しているので、該無線リンクを共通鍵設定処理に使用してもよい。
　
　
（２）参考文献
　本願の出願前に頒布された刊行物である下記参考文献には、それぞれ、下記参考文献記載事項が記載されている。（下線は当審付与。）
　
＜参考文献１＞
　特開２００３−２１８８７５号公報（平成１５年７月３１日出願公開）
　
　＜参考文献記載事項１−１＞
「【請求項１】　無線通信装置であって、
無線通信に用いられる設定パラメータを記憶する設定パラメータ記憶部と、
前記設定パラメータの送信先となる他の無線通信装置との間で、前記設定パラメータの送信用に予め用意された方法で、該設定パラメータを暗号化する暗号化部と、
該暗号化された設定パラメータを前記他の無線通信装置に送信する送信部と、
を備える無線通信装置」
　
　＜参考文献記載事項１−２＞
「【０００６】
【課題を解決するための手段およびその作用・効果】上述の課題の少なくとも一部を解決するため、本発明では、以下の構成を採用した。本発明の第１の無線通信装置は、無線通信装置であって、無線通信に用いられる設定パラメータを記憶する設定パラメータ記憶部と、前記設定パラメータの送信先となる他の無線通信装置との間で、前記設定パラメータの送信用に予め用意された方法で、該設定パラメータを暗号化する暗号化部と、該暗号化された設定パラメータを前記他の無線通信装置に送信する送信部と、を備えることを要旨とする。
【０００７】本発明では、無線通信用の設定パラメータを、送信先となる他の無線通信装置との間で設定パラメータの設定用に予め用意された方法で暗号化して、他の無線通信装置に送信する。こうすることによって、暗号化および復号の方法を知らない第三者への設定パラメータの漏洩を回避することができる。従って、無線通信におけるセキュリティを確保しつつ、新たに設置される無線通信装置に、設定パラメータを、無線通信を介して設定することができる。
【０００８】ここで、「設定パラメータ」とは、例えば、国際標準規格ＩＥＥＥ８０２．１１に基づく無線通信におけるＥＳＳ−ＩＤ、ＷＥＰキー、通信モード、通信チャンネルなどが含まれる。
【０００９】また、「送信先となる他の無線通信装置との間で、前記設定パラメータの送信用に予め用意された方法」とは、例えば、データの配列を２ビットずつずらすなど、予め決められた固有の規則に従って単にデータにスクランブル化をかける方法や、送信側と受信側との双方で既知の秘密鍵（共通鍵ともいう）を用いる方法などが挙げられる。」
　
　
＜参考文献２＞
　特開２００３−１０１５３３号公報（平成１５年４月４日出願公開）
　
　＜参考文献記載事項２−１＞
「【００７７】認証部１６は、認証管理部２０から予め取得してある第一認証情報（マスタ鍵Ｍ）を用いて、認証部２６との間で通信をするための認証を行う第二認証手段である。具体的に認証部１６で行う認証は、図３に示すように、無線ネットワークプロトコルのＯＳＩを用いて説明することができる。同図によれば、機器１０ａと機器１０ｂとの間で共通の共通鍵Ｋは、先ず、認証管理部２０にあるＯＳＩのアプリケーション層で、共通鍵Ｋをマスタ鍵Ｍで暗号化する。尚、共通鍵Ｋは、秘密情報生成部22で生成されるものである（詳述は後述する）。
【００７８】マスタ鍵Ｍで暗号化された共通鍵Ｋを取得した機器１０ａ（通信部１４で取得）は、機器１０ａにある認証部１６にあるＯＳＩのアプリケーション層で、マスタ鍵Ｍで暗号化された共通鍵Ｋを、取得情報管理部１３から入力されたマスタ鍵Ｍを用いて復号化する。共通鍵Ｋを復号化した認証部１６は、復号化した共通鍵Ｋを取得情報管理部１３へと出力し、認証部１６から共通鍵Ｋが入力された取得情報管理部１３は、入力された共通鍵Ｋを取得情報蓄積部１２に蓄積する。」
　
　
＜参考文献３＞
　特開２０００−２５３４５９号公報（平成１２年９月１４日出願公開）
　
　＜参考文献記載事項３−１＞
「【請求項１】　情報を送受信する複数の端末機と、情報の送受信とセキュリティ管理を行う複数の制御局と、電波を送受信する少なくとも１つの基地局とからなる無線通信装置において、
（１）前記基地局は、前記制御局との間の情報伝送手段と、前記端末機との間の無線情報伝送手段とを有し、
（２）前記制御局は、前記基地局との間の情報伝送手段と、前記端末機を近接して電気的に接続する接続手段と、自局に所属している端末機の数だけの第１暗号鍵を記憶する記憶手段と、自局で管理する通信グループの数だけの第２暗号鍵を記憶する記憶手段と、端末機毎に異なる第１暗号鍵と通信グループ毎に異なる第２暗号鍵とを生成する暗号鍵生成手段と、前記接続手段を介して前記第１暗号鍵を対応する端末機へ送出する手段と、前記第２暗号鍵を前記第１暗号鍵によって暗号化する手段と、暗号化した第２暗号鍵を前記基地局を経由して前記端末機へ配信する手段と、アプリケーション情報を前記第２暗号鍵で暗号化する手段と、暗号化したアプリケーション情報を前記基地局を経由して複数の端末機へ一斉に伝送する手段と、受信した暗号化アプリケーション情報を前記第２暗号鍵で復号して出力する手段とを有し、
（３）前記端末機は、前記基地局との間の無線情報伝送手段と、前記制御局を近接して電気的に接続する接続手段と、第１暗号鍵と第２暗号鍵とを記憶する記憶手段と、受信した暗号化第２暗号鍵を前記第１暗号鍵によって復号する手段と、受信した暗号化アプリケーション情報を前記第２暗号鍵によって平文に復号する手段と、アプリケーション情報を前記第２暗号鍵で暗号化する手段と、暗号化アプリケーション情報を前記基地局を経由して前記制御局へ伝送する手段とを有することを特徴とする暗号無線通信装置。」
　
　
＜参考文献４＞
　特開平１１−２０５３１０号公報（平成１１年７月３０日出願公開）
　
　＜参考文献記載事項４−１＞
「【００９４】また，上記各実施実施の形態では，説明を簡単にするために復号化情報として鍵をそのまま送信していたが，復号化情報はこれに限るものではなく，受信装置が鍵を作成できる情報であればどのような情報であってもよい．例えば，鍵を暗号化して受信装置に送信し，受信装置は暗号化された鍵を復号化して鍵自身を入手するようにしてもよい．この復号化に必要な情報は認証手続きの際に送信装置と受信装置との間で共有したり，
装置製造時に予め送信装置と受信装置に記憶させておいても良い．
　
　
＜参考文献５＞
　特開２００３−１３４１０１号公報（平成１５年５月９日出願公開）
　
　＜参考文献記載事項５−１＞
「【特許請求の範囲】
【請求項１】　復号鍵を用いて復号処理を施す復号装置の製造方法であって、
セキュリティが管理された状態において、前記復号鍵を秘密に取得する取得ステップと、
前記セキュリティが管理された状態において、取得された前記復号鍵に所定の暗号処理を施した暗号化復号鍵を含む変換情報を生成して出力する変換情報出力ステップと、
出力された前記変換情報を、前記復号装置に組み込まれるべき不揮発性メモリに書き込む書き込みステップと、前記暗号化復号鍵に、前記所定の暗号処理に対応する復号処理を施して前記復号鍵を得る回路と当該復号鍵を用いて復号処理を施す回路とが集積された１個の集積素子を含む前記復号装置を組み立てる組み立てステップとを含むことを特徴とする製造方法。
【請求項２】　前記書き込みステップは、
前記セキュリティが管理された状態よりもセキュリティレベルの低い状態で実施されることを特徴とする請求項１に記載の製造方法。
【請求項３】　前記所定の暗号処理は、秘密鍵を用いた秘密鍵暗号方式であり、
前記変換情報出力ステップは、
所定の固定値の秘密鍵を用いて前記復号鍵に暗号処理を施すことを特徴とする請求項１に記載の製造方法。
（・・・中略・・・）
【請求項１８】　前記不揮発性メモリは、
復号装置毎に固有の復号鍵に、所定の暗号処理を施した暗号化復号鍵を含む変換情報が書き込まれていることを特徴とする請求項１４に記載の復号装置。」
　
　＜参考文献記載事項５−２＞
「【００２１】組立部４は、送付された暗号化固有情報を不揮発性メモリに書き込み、ＬＳＩ製造部５で製造された暗号処理用ＬＳＩなどを組み立てて、有料コンテンツ再生機器を製造する。図２は有料コンテンツを再生する場合の不揮発性メモリと暗号処理用ＬＳＩとの構成を示す図である。」
　
　＜参考文献記載事項５−３＞
「【００３１】組立部１１は、変換部１０から送付された暗号化固有情報とパラメータ情報とを不揮発性メモリに書き込み、ＬＳＩ製造部１２で製造された暗号処理用ＬＳＩなどを組み立てて、有料コンテンツ再生機器を製造する。図５は有料コンテンツを再生する場合の不揮発性メモリと暗号処理用ＬＳＩとの構成を示す図である。」
　
　
２−３．引用発明の認定
　
（１）引用文献には、上記引用文献記載事項１の通りの「無線データ送受信手段と、鍵を不揮発性の記憶手段に格納する鍵記憶手段と、鍵を使用してデータの暗号化復号化を行う暗号化手段とを具備する無線伝送装置において、
鍵生成手段と、
鍵設定モード起動手段と、
親／子指定手段と、
有線データ送受信手段と、
前記有線データ送受信手段を使用して鍵を他の無線伝送装置に転送する鍵転送手段と、
前記有線データ送受信手段を使用して鍵を受信する鍵受信手段と、
前記鍵設定モード起動手段によって鍵設定モードが起動された場合に、前記親／子指定手段により親局に指定されている場合には、前記鍵生成手段によって鍵を生成し、前記鍵記憶手段によって鍵を不揮発性の記憶手段に格納すると共に、前記鍵転送手段によって鍵を他の無線伝送装置に転送し、前記親／子指定手段により子局に指定されている場合には、前記鍵受信手段によって鍵を受信し、前記鍵記憶手段によって鍵を不揮発性の記憶手段に格納する鍵設定制御手段と」
を備えた「無線伝送装置」が開示されている。
　
（２）また、該「無線伝送装置」は引用文献記載事項２の如く「共通鍵設定モードを起動するためのＤＩＰスイッチ」も備えている。
　
（３）そして、引用文献記載事項３の、「また、無線伝送装置は無線リンクを具備しているので、該無線リンクを共通鍵設定処理に使用してもよい。」との記載から、上記「無線伝送装置」における「有線データ送受信手段」に代えて「無線リンク」を採用した「無線伝送装置」も開示されていると言える。
　
（４）よって、引用文献には、下記引用発明が記載されていると認められる。
　
＜引用発明＞
「無線データ送受信手段と、鍵を不揮発性の記憶手段に格納する鍵記憶手段と、鍵を使用してデータの暗号化復号化を行う暗号化手段とを具備する無線伝送装置において、
鍵生成手段と、
鍵設定モード起動手段と、
親／子指定手段と、
無線リンクと、
前記無線リンクを使用して鍵を他の無線伝送装置に転送する鍵転送手段と、
前記無線リンクを使用して鍵を受信する鍵受信手段と、
前記鍵設定モード起動手段によって鍵設定モードが起動された場合に、前記親／子指定手段により親局に指定されている場合には、前記鍵生成手段によって鍵を生成し、前記鍵記憶手段によって鍵を不揮発性の記憶手段に格納すると共に、前記鍵転送手段によって鍵を他の無線伝送装置に転送し、前記親／子指定手段により子局に指定されている場合には、前記鍵受信手段によって鍵を受信し、前記鍵記憶手段によって鍵を不揮発性の記憶手段に格納する鍵設定制御手段と
前記鍵設定モードを起動するためのＤＩＰスイッチ
を備えた無線伝送装置。」
　
　
２−４．対比
　以下、本件補正発明と引用発明とを比較する。
　
（１）引用発明は「無線データ送受信手段」等を具備する「無線伝送装置」であるから、本件補正発明と同様に「データを無線で送信または受信する情報処理装置」とも言えるものである。
　
（２）また、引用発明における「ＤＩＰスイッチ」は、本件補正発明における「設定手段」に対応付けられるものであるところ、前者は「鍵設定モードを起動するための」ものであり、また、該「鍵設定モード」のときには「鍵転送手段によって鍵を他の無線伝送装置に転送」することがなされ、さらに、該「鍵を使用してデータの暗号化復号化」がなされるのであるから、引用発明も本件補正発明と同様に「動作モードを、前記データの暗号化または復号に用いる第１の暗号鍵の伝達を行う伝達モードに設定する設定手段」を備えるものであると言える。
　
（３）また、引用発明における「鍵転送手段」は、本件補正発明における「送信手段」に対応付けられるものであるところ、引用発明は「前記鍵設定モード起動手段によって鍵設定モードが起動された場合に」は「前記鍵転送手段によって鍵を他の無線伝送装置に転送」するものであり、また、該「転送」される「鍵」自体も「鍵に関する暗号鍵情報」とも言えるものであるから、引用発明も、「前記設定手段により前記伝達モードが設定された場合に、前記第１の暗号鍵に関する暗号鍵情報を無線で送信する送信手段」を備えるものであると言える。
　
（４）また、引用発明における「鍵生成手段」は、本件補正発明における「暗号鍵情報生成手段」に対応付けられるものであるところ、前者が「転送」される「鍵」自体、すなわち、後者における「前記暗号鍵情報」を生成することは明らかであるから、両者は「前記暗号鍵情報を生成する暗号鍵情報生成手段」である点で共通する。
　
（５）よって、本件補正発明は、下記一致点で引用発明と一致し、下記の相違点で引用発明と相違する。
　
＜一致点＞
「データを無線で送信または受信する情報処理装置において、
　動作モードを、前記データの暗号化または復号に用いる第１の暗号鍵の伝達を行う伝達モードに設定する設定手段と、
　前記設定手段により前記伝達モードが設定された場合に、前記第１の暗号鍵に関する暗号鍵情報を無線で送信する送信手段と、」
「前記暗号鍵情報を生成する暗号鍵情報生成手段と
　を備えることを特徴とする情報処理装置。」
　
＜相違点＞
　本件補正発明における暗号鍵情報生成手段では、「前記情報処理装置と、前記送信手段が送信した前記暗号鍵情報を受信する他の情報処理装置とが出荷時から共通して記憶している値に基づいて」前記暗号鍵情報を生成するものである点。（これに対し、引用文献においては、鍵を暗号化等の処理をした上で転送する旨の記載は無い。）
　
　
２−５．判断
　以下、上記相違点について検討するに、
　鍵の送受に際しては十分な漏洩対策をとるのが通例であり、そのための手段としては、該送受の対象となる鍵を送り側と受け側に共通の鍵で暗号化する手法が良く知られており（例えば、参考文献１（特に参考文献記載事項１−２）、参考文献２（特に参考文献記載事項２−１）、参考文献３（特に参考文献記載事項３−１）、参考文献４（特に参考文献記載事項４−１）、参考文献５（特に参考文献記載事項５−１）等参照。）、しかも、暗号鍵の記憶を製造時等の出荷前の時点でしておくことも周知慣用の構成に他ならない（必要があれば参考文献４（特に参考文献記載事項４−１）、参考文献５（特に参考文献記載事項５−１）等参照。）。
　してみると、引用発明において転送される「鍵」を出荷前に記憶された別の共通鍵で暗号化された鍵とすること、すなわち引用発明を上記相違点に係る構成を有するものとすることは、当業者であれば容易に想到し得た構成と認められる。
　
　したがって、本件補正発明の構成は引用発明に基づいて、当業者が容易に想到し得たものである。
　そして、当該構成の採用によって奏される作用効果も、当業者であれば容易に予測し得る程度のものであって、格別顕著なものではない。
　よって、本件補正発明は、引用発明に基づいて、当業者が容易に発明をすることができたものである。
　
２−６．小結
　以上の通り、本件補正発明は、その出願前に日本国内又は外国において頒布された刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許出願の際独立して特許を受けることができないものである。
　
　
３．むすび
　以上述べたように、本件補正後の特許請求の範囲の請求項１に係る発明は特許出願の際独立して特許を受けることができないものであり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　よって、上記補正却下の決定の結論の通り決定する。
　
　
　
第３．本件審判請求の成否について
　
１．手続きの経緯、本願発明の認定
　本願の手続きの経緯は上記第１．記載の通りのものであり、さらに、平成２２年７月２７日付けの手続補正は上記第２．のとおり却下された。
　従って、本願の特許請求の範囲の請求項１に係る発明（以下「本願発明」と記す。）は該上記第２．１．の＜本件補正前の特許請求の範囲＞に【請求項１】として記載した通りのものである。
　
２．引用文献の記載内容・引用発明の認定
　原審の拒絶の査定の理由である上記平成２２年１月２７日付けの拒絶理由通知における特許法第２９条第２項についての拒絶理由において引用された上記引用文献には、上記第２．２−２．記載の引用文献記載事項が記載されており、上記引用文献には上記第２．２−３．で認定した通りの引用発明が記載されていると認められる。
　
３．対比・判断
　上記第２．で検討した本件補正発明は、本願発明に対し上記第２．２．で述べた限定的減縮をしたものであるから、本願発明は、上記本件補正発明から当該限定的減縮により限定される要件を無くしたものに相当する。
　そして、本願発明の構成要件を全て含み、さらに他の要件を付加したものに相当する上記本件補正発明は、上記第２．２−５．に記載した通り、上記引用発明に基づいて、当業者が容易に発明をすることができたものである。
　したがって、本願発明も同様の理由により、上記引用発明に基づいて、当業者が容易に発明をすることができたものである。
　
４．むすび
　上記のとおり、本願請求項１に係る発明は、その出願前に日本国内又は外国において頒布された刊行物に記載された発明又は電気通信回線を通じて公衆に利用可能となった発明に基いて、当業者が容易に発明をすることができたものであるから、他の請求項についての検討をするまでもなく、本願は特許法第２９条第２項の規定により特許を受けることができない。
　
　よって、上記結論のとおり審決する。